(57)【要約】【課題】旅行計画の利便性を向上させる。【解決手段】情報処理システム１は、タイムライン上に配置済みの第１ＰＯＩの終了時刻からタイムライン上に配置済みの第２ＰＯＩの開始時刻までの時間間隔が、第１ＰＯＩから第２ＰＯＩまでの移動に要する時間よりも長い場合に、第１ＰＯＩの終了時刻と第２ＰＯＩの開始時刻との間のタイムライン上に、立ち寄りＰＯＩを配置可能な時間帯を示すプランニングエリアを出力するプランニングエリア出力手段３５１を備える。【選択図】図１
2018045634.tif 000002
【特許請求の範囲】
【請求項１】
タイムライン上にＰＯＩを配置して旅行計画を行う情報処理システムであって、
前記タイムライン上に配置済みの第１ＰＯＩの終了時刻から前記タイムライン上に配置済みの第２ＰＯＩの開始時刻までの時間間隔が、前記第１ＰＯＩから前記第２ＰＯＩまでの移動に要する時間よりも長い場合に、前記第１ＰＯＩの終了時刻と前記第２ＰＯＩの開始時刻との間の前記タイムライン上に、立ち寄りＰＯＩを配置可能な時間帯を示すプランニングエリアを出力するプランニングエリア出力手段、
を備えたことを特徴とする情報処理システム。
【請求項２】
前記第１ＰＯＩの終了時刻と前記第２ＰＯＩの開始時刻とを変更せずに立ち寄り可能な前記立ち寄りＰＯＩの候補を提示するＰＯＩ提示手段、
を更に備えたことを特徴とする請求項に記載の情報処理システム。
【請求項３】
前記プランニングエリア出力手段は、
前記立ち寄りＰＯＩの候補の中から選択されたＰＯＩが前記第３ＰＯＩとして前記プランニングエリアに配置された場合に、前記プランニングエリアを更新する、
ことを特徴とする請求項２に記載の情報処理システム。
【請求項４】
前記ＰＯＩ提示手段は、
前記プランニングエリアに前記立ち寄りＰＯＩが配置された場合に、前記立ち寄りＰＯＩの候補を更新する、
ことを特徴とする請求項３に記載の情報処理システム。
【請求項５】
前記プランニングエリア出力手段は、
前記タイムラインと識別可能な表示態様を有するように前記プランニングエリアを出力する、
ことを特徴とする請求項１乃至４のいずれかに記載の情報処理システム。
【請求項６】
前記ＰＯＩ提示手段は、
前記立ち寄りＰＯＩの配置によって立ち寄り不可能となった前記立ち寄りＰＯＩの候補を、削除または選択不能にする、
ことを特徴とする請求項４に記載の情報処理システム。
【請求項７】
前記プランニングエリア出力手段は、
前記プランニングエリアに前記立ち寄りＰＯＩが配置された場合に、前記第１ＰＯＩの終了時刻と配置された前記立ち寄りＰＯＩの開始時刻との間の前記タイムライン上に、新たな立ち寄りＰＯＩを配置可能な時間帯を示す第１プランニングエリアを出力し、配置された前記立ち寄りＰＯＩの終了時刻と前記第２ＰＯＩの開始時刻との間の前記タイムライン上に、新たな立ち寄りＰＯＩを配置可能な時間帯を示す第２プランニングエリアを出力する、
ことを特徴とする請求項３または４に記載の情報処理システム。
【請求項８】
前記プランニングエリア出力手段は、
互いに異なる表示態様を有するように前記第１プランニングエリアと前記第２プランニングエリアとを出力する、
ことを特徴とする請求項７に記載の情報処理システム。
【請求項９】
前記ＰＯＩ提示手段は、
互いに異なる表示態様を有するように前記第１プランニングエリアに配置可能な立ち寄りＰＯＩの候補と前記第２プランニングエリアに配置可能な立ち寄りＰＯＩの候補とを提示する、
ことを特徴とする請求項８に記載の情報処理システム。
【請求項１０】
前記第１プランニングエリアに配置可能な立ち寄りＰＯＩの候補は、前記第１ＰＯＩの終了時刻と配置された前記立ち寄りＰＯＩの開始時刻とを変更せずに立ち寄り可能なＰＯＩであり、
前記第２プランニングエリアに配置可能な立ち寄りＰＯＩの候補は、配置された前記立ち寄りＰＯＩの終了時刻と前記第２ＰＯＩの開始時刻とを変更せずに立ち寄り可能なＰＯＩである、
ことを特徴とする請求項９に記載の情報処理システム。
【請求項１１】
前記ＰＯＩ提示手段は、
前記プランニングエリアと同一画面上に表示されるように前記立ち寄りＰＯＩの候補を提示することを特徴とする請求項２乃至１０のいずれかに記載の情報処理システム。
【請求項１２】
コンピュータを、
タイムライン上に配置済みの第１ＰＯＩの終了時刻から前記タイムライン上に配置済みの第２ＰＯＩの開始時刻までの時間間隔が、前記第１ＰＯＩから前記第２ＰＯＩまでの移動に要する時間よりも長い場合に、前記第１ＰＯＩの終了時刻と前記第２ＰＯＩの開始時刻との間の前記タイムライン上に、立ち寄りＰＯＩを配置可能な時間帯を示すプランニングエリアを出力するプランニングエリア出力手段、
として機能させることを特徴とする情報処理プログラム。
【請求項１３】
プランニングエリア出力手段が、タイムライン上に配置済みの第１ＰＯＩの終了時刻から前記タイムライン上に配置済みの第２ＰＯＩの開始時刻までの時間間隔が、前記第１ＰＯＩから前記第２ＰＯＩまでの移動に要する時間よりも長い場合に、前記第１ＰＯＩの終了時刻と前記第２ＰＯＩの開始時刻との間の前記タイムライン上に、立ち寄りＰＯＩを配置可能な時間帯を示すプランニングエリアを出力するステップ、
を備えることを特徴とする情報処理方法。
【発明の詳細な説明】
【技術分野】
【０００１】
本発明は、情報処理システム、情報処理プログラムおよび情報処理方法に関する。
【背景技術】
【０００２】
従来から、タイムライン上に地点を設定して旅行プランを作成可能な技術が提案されている。例えば、特許文献１では、第１の地点を設定した後に第２の地点を設定するにあたり、第１の地点から第２の地点までの移動時間長を算出してタイムライン上に表示する技術が提案されている。
【先行技術文献】
【特許文献】
【０００３】
【特許文献１】特開２０１０−０８６１８７公報
【発明の概要】
【発明が解決しようとする課題】
【０００４】
しかしながら、特許文献１に記載の技術では、第１の地点からの移動時間長に重ならないように第２の地点を設定することはできても、第１の地点と第２の地点との間に新たな地点を設定できるか否かを判断することができなかった。このため、従来の技術では、旅行計画の利便性を向上させることが困難であった。
【０００５】
本発明は、旅行計画の利便性を向上させることができる情報処理システム、情報処理プログラムおよび情報処理方法を提供する。
【課題を解決するための手段】
【０００６】
本発明に係る情報処理システムは、
タイムライン上にＰＯＩを配置して旅行計画を行う情報処理システムであって、
前記タイムライン上に配置済みの第１ＰＯＩの終了時刻から前記タイムライン上に配置済みの第２ＰＯＩの開始時刻までの時間間隔が、前記第１ＰＯＩから前記第２ＰＯＩまでの移動に要する時間よりも長い場合に、前記第１ＰＯＩの終了時刻と前記第２ＰＯＩの開始時刻との間の前記タイムライン上に、立ち寄りＰＯＩを配置可能な時間帯を示すプランニングエリアを出力するプランニングエリア出力手段、
を備えたことを特徴とする。
【発明の効果】
【０００７】
本発明によれば、旅行計画の利便性を向上させることができる。
【図面の簡単な説明】
【０００８】
【図１】本実施形態に係る情報処理システム１の概略的な構成を示す図である。
【図２】本実施形態に係る情報処理システム１の動作の一例を示すフローチャートである。
【図３】本実施形態に係る情報処理システム１の動作の一例として、予約完了メールを示す図である。
【図４】本実施形態に係る情報処理システム１の動作の一例として、プランニングエリアおよび第３ＰＯＩ候補の表示例を示す図である。
【図５】図２に続く本実施形態に係る情報処理システム１の動作の一例を示すフローチャートである。
【図６】本実施形態に係る情報処理システム１の動作の一例として、プランニングエリアへのＰＯＩ追加処理を示す図である。
【図７】本実施形態に係る情報処理システム１の動作の一例として、ＰＯＩ追加処理に応じたプランニングエリアおよび第３ＰＯＩ候補の第１の表示例を示す図である。
【図８】本実施形態に係る情報処理システム１の動作の一例として、ＰＯＩ追加処理に応じたプランニングエリアおよび第３ＰＯＩ候補の第２の表示例を示す図である。
【図９】図５に続く本実施形態に係る情報処理システム１の動作の一例を示すフローチャートである。
【図１０】本実施形態に係る情報処理システム１の動作の一例として、プランニングエリアへのＰＯＩ再追加処理を示す図である。
【図１１】本実施形態に係る情報処理システム１の動作の一例として、ＰＯＩ再追加処理に応じたプランニングエリアおよび第３ＰＯＩ候補の第１の表示例を示す図である。
【図１２】本実施形態に係る情報処理システム１の動作の一例として、ＰＯＩ再追加処理に応じたプランニングエリアおよび第３ＰＯＩ候補の第２の表示例を示す図である。
【図１３】本実施形態の第１の変形例に係る情報処理システム１の動作の一例として、プランニングエリアおよび第３ＰＯＩ候補の表示例を示す図である。
【図１４】本実施形態の第２の変形例に係る情報処理システム１の動作の一例として、プランニングエリアおよび第３ＰＯＩ候補の表示例を示す図である。
【図１５】図１５（ａ）は、本実施形態の第３の変形例に係る情報処理システム１の動作の一例として、ＰＯＩ再追加処理を示す図であり、図１５（ｂ）は、ＰＯＩ再追加処理に応じた警告の表示例を示す図であり、図１５（ｃ）は、滞在時間の短縮を条件としたＰＯＩ再追加を示す図である。
【図１６】図１６（ａ）は、本実施形態の第４の変形例に係る情報処理システム１の動作の一例として、プランニングエリアの第１部分の選択に応じた第３ＰＯＩ候補の表示例を示す図であり、図１６（ｂ）は、プランニングエリアの第２部分の選択に応じた第３ＰＯＩ候補の表示例を示す図である。
【図１７】図１７（ａ）は、本実施形態の第５の変形例に係る情報処理システム１の動作の一例として、地図上での第３ＰＯＩ候補の選択に応じた経路の表示例を示す図であり、図１７（ｂ）は、地図上での第３ＰＯＩ候補の選択の変更に応じた経路の表示例を示す図である。
【図１８】図１８（ａ）は、本実施形態の第６の変形例に係る情報処理システム１の動作の一例として、第３ＰＯＩ候補の抽出動作を示す図であり、図１８（ｂ）は、図１８（ａ）に続く第３ＰＯＩ候補の抽出動作を示す図であり、図１８（ｃ）は、図１８（ｂ）に続く第３ＰＯＩ候補の抽出動作を示す図である。
【発明を実施するための形態】
【０００９】
以下、本発明に係る実施形態について、図面を参照しながら具体的に説明する。なお、各図において同等の機能を有する構成要素には同一の符号を付し、同一符号の構成要素の詳しい説明は繰り返さない。
【００１０】
本実施形態の情報処理システム１は、モバイル端末（スマートフォン、携帯電話、タブレット端末等）やパソコン等の電子機器の使用者（以下、単に「ユーザ」ともいう）に対して、タイムライン上にＰＯＩ（Ｐｏｉｎｔ  Ｏｆ  Ｉｎｔｅｒｅｓｔ）を配置して旅行計画を行うためのプランニング画面を提供するシステムである。
【００１１】
「タイムライン」とは、ＰＯＩを時系列に並べて表示できるプランニング画面上の領域である。「ＰＯＩ」とは、ユーザが関心を持っている地物等であり、例えば、店舗、宿泊施設、レジャー施設等の施設や観光地などの地点である。ここでいう「地点」は、施設などの比較的狭域の地点に限定されず、行政区などの比較的広域にわたる地点であってもよい。また、ＰＯＩは、地点に限定されず、例えば、祭りなどのイベントを含んでいてもよい。
【００１２】
図１に示すように、情報処理システム１は、端末装置２と、サーバ３とを備えている。端末装置２とサーバ３とは、インターネット等のネットワークを介して互いに通信可能に接続されている。
【００１３】
サーバ３は、例えば、旅行サイトの提供者の自社サーバまたはホスティングサーバである。その他、サーバ３は、旅行サイトの提供を代行する代行者が利用するサーバ、あるいは旅行サイトを提供するサーバと連携してプランニング画面を提供するサーバであってもよい。
【００１４】
ネットワークは、有線回線および無線回線のいずれでもよく、回線の種類や形態は問わない。なお、端末装置２およびサーバ３の少なくとも一部は、コンピュータにより実現される。
【００１５】
端末装置２は、旅行計画を行うためにユーザが使用するものであり、例えば、スマートフォンやタブレット端末等のモバイル端末である。なお、端末装置２は、デスクトップ型のパソコンであってもよい。
【００１６】
端末装置２は、図１に示すように、通信部２１と、入力部２３と、出力部２４と、制御部２２とを有する。
【００１７】
通信部２１は、ネットワークを介して制御部２２とサーバ３との間で情報を送受信するためのインターフェースである。
【００１８】
入力部２３は、ユーザが端末装置２に情報を入力するためのインターフェースであり、例えばモバイル端末におけるタッチパネルやマイクロフォン、タッチパッドもしくはダイヤルボタンであってもよい。また、入力部２３は、デスクトップ型のパソコンのマウスやキーボードであってもよい。
【００１９】
出力部２４は、端末装置２からユーザに対して各種情報を出力するインターフェースであり、例えば液晶ディスプレイ等の映像表示手段である。一例として、出力部２４は、入力部２３を通じたユーザからの操作を受け付けるためのＧＵＩ（Graphical User Interface）を表示する。出力部２４は、各種情報を音声出力するスピーカを有していてもよい。
【００２０】
なお、出力部２４は、ユーザに情報を直接提示するものでなくてもよい。例えば、出力部２４は、端末装置２の外部に接続される映像表示手段や音声出力手段に、映像信号や音声信号を出力するものであってもよいし、外部に接続される印刷装置にデータを出力するものであってもよいし、端末装置２内もしくは外部の記憶装置にデータを出力して記憶させるものであってもよい。
【００２１】
制御部２２は、旅行計画を策定するための各種の制御を実行する。例えば、制御部２２は、出力部２４にプランニング画面を表示させる制御を実行する。なお、制御部２２は、プランニング画面に対する入力部２３の入力操作を受け付け、受け付けた入力操作の情報をネットワーク経由でサーバ３に送信する制御を実行する。制御部２２は、端末装置２内のプロセッサが所定のプログラムを実行することによって実現されてもよい。
【００２２】
次に、サーバ３について説明する。図１に示すように、サーバ３は、通信部３１と、制御部３２と、記憶部３３とを有する。制御部３２について説明する前に、通信部３１および記憶部３３について説明する。
【００２３】
通信部３１は、ネットワークを介して端末装置２と、サーバ３の制御部３２との間で情報を送受信するインターフェースである。
【００２４】
記憶部３３は、例えばハードディスク等の固定型データストレージであり、各種データベースを格納する。なお、記憶部３３は、必ずしもサーバ３内に設けられなくてもよく、ネットワークを介してサーバ３と通信可能に接続された別の装置内に設けられてもよい。
【００２５】
記憶部３３は、経路ネットワーク情報データベース３６と、ＰＯＩ情報データベース３７とを有する。
【００２６】
経路ネットワーク情報データベース３６は、経路探索用のデータベースであり、経路ネットワーク情報として、例えば、交通ネットワーク情報を含む。交通ネットワーク情報は、鉄道やバス等の交通網や道路網を規定する情報である。交通網の情報としては、交通機関の路線情報、時刻表情報、料金情報等を含む。また、交通網の情報は、例えば駅等の路線網表現上の結節点（ノード）のデータと、結節点間の線路区間であるリンクのデータとの組み合わせによって表現される。また、道路網の情報は、例えば交差点等の道路網表現上の結節点（ノード）のデータと、結節点間の道路区間であるリンクのデータとの組み合わせによって表現される。
【００２７】
ＰＯＩ情報データベース３７は、地点検索や経路探索条件の地点設定等に用いるＰＯＩ情報が格納されている。ＰＯＩ情報は、ＰＯＩの位置情報や名称情報等を含む。
【００２８】
また、図示しないが、記憶部３３には、地図の表示や地点の検索等に用いる地図情報データベースを含んでいてもよい。地図情報は、全国または各地方の道路地図などの地図データを含み、地図データに対応付けられた地図オブジェクト情報（施設情報、注記情報、記号情報等）を含んでいてもよい。
【００２９】
これらの記憶部３３内のデータは、移動経路に基づく経路案内に利用できる。また、これらの記憶部３３内のデータは、旅行プランの作成に利用できる。
【００３０】
次に、サーバ３の制御部３２について説明する。制御部３２は、図１に示すように、経路探索部３４とプランニング部３５とを有する。プランニング部３５は、プランニングエリア出力手段の一例であるプランニングエリア出力部３５１と、ＰＯＩ提示手段の一例であるＰＯＩ出力部３５２とを有する。プランニング部３５は、サーバ３内のプロセッサが所定のプログラムを実行することにより実現されてもよい。
【００３１】
プランニング部３５は、プランニング画面を生成して出力する。例えば、プランニング部３５は、旅行サイトから端末装置２に送信された旅行商品の予約完了メールに含まれるリンクを介して旅行プランの作成が指示された場合に、プランニング画面を生成して出力する。プランニング部３５から出力されたプランニング画面は、ネットワーク経由で端末装置２に送信され、端末装置２の出力部２４で表示される。
【００３２】
なお、プランニング部３５は、予約完了メールに対する旅行プランの作成指示に限定されず、例えば、予約完了メールに含まれるリンクを介さずに旅行サイトに直接アクセスしたユーザの指示に応じてプランニング画面を生成および出力してもよい。また、図１の例では、プランニング部３５の全ての機能がサーバ３に備えられているが、プランニング部３５の一部の機能が端末装置２や他のサーバに備えられていてもよい。例えば、プランニング部３５でのプランニング画面の生成は、プランニング画面の全部の生成に限定されず、プランニング画面の一部を端末装置２の制御部２２が生成してもよい。
【００３３】
プランニング部３５は、予約完了メールの内容に基づいて、プランニング画面のタイムライン上に、第１ＰＯＩと第２ＰＯＩとを配置する。例えば、プランニング部３５は、予約完了メールに含まれるリンクに含まれた第１ＰＯＩと第２ＰＯＩの情報に基づいて、プランニング画面のタイムライン上に第１ＰＯＩと第２ＰＯＩとを配置する。また、例えば、旅行商品は飛行機とホテルのパッケージ商品であり、第１ＰＯＩは、到着空港であり、第２ＰＯＩは、宿泊施設であってもよい。プランニング部３５は、第１および第２ＰＯＩ以外のＰＯＩ（例えば、出発空港など）をタイムライン上に配置してもよい。また、プランニング部３５は、予約完了メールに記述されているＰＯＩの情報に限定されず、旅行サイトに直接アクセスしたユーザの指示に基づいて、タイムライン上に第１ＰＯＩおよび第２ＰＯＩを配置してもよい。
【００３４】
ここで、タイムライン上に配置されるＰＯＩには、開始時刻と終了時刻が設定される。開始時刻は、ＰＯＩでの予定が開始する時刻である。終了時刻は、ＰＯＩでの予定が終了する時刻である。開始時刻と終了時刻とに基づき、後述するタイムライン上のＰＯＩのフレームの幅が決まる。また、開始時刻と終了時刻の間隔が、ＰＯＩの滞在時間である。タイムライン上にＰＯＩが配置される際に、滞在時間には初期設定された所定値が設定される。初期設定された所定値は、ＰＯＩ毎に定まっていてもよいし、ＰＯＩの種別毎に定まっていてもよい。例えば、イベントには開始時刻と終了時刻が設定されていることがある。それとは別に、ユーザがイベントに参加する時間帯はそれぞれである。滞在時間の設定は、平均的な滞在時間でもよいし、演目の時間に基づいてもよい。ユーザ操作に応じて開始時刻や終了時刻、滞在時間は変更できる。
【００３５】
プランニング部３５のプランニングエリア出力部３５１は、タイムライン上に配置済みの第１ＰＯＩの終了時刻から、タイムライン上に配置済みの第２ＰＯＩの開始時刻までの時間間隔（以下、第１ＰＯＩ時間間隔ともいう）が、第１ＰＯＩから第２ＰＯＩまでの移動に要する時間（以下、第１移動所要時間ともいう）よりも長いか否かを判定する。
【００３６】
この判定に用いる第１移動所要時間を取得するため、プランニングエリア出力部３５１は、経路探索部３４に、経路ネットワーク情報データベース３６内の経路ネットワーク情報およびＰＯＩ情報データベース３７内のＰＯＩ情報に基づいて、第１ＰＯＩから第２ＰＯＩまでの移動経路を探索させる。そして、プランニングエリア出力部３５１は、探索された第１ＰＯＩから第２ＰＯＩまでの移動経路に基づいて第１移動所要時間を取得し、取得された第１移動所要時間を用いて判定を行う。第１ＰＯＩから第２ＰＯＩまでの移動経路に基づく第１移動所要時間の取得の具体的な態様は特に限定されず、例えば、移動経路のリンク長に対応する距離を所定の移動速度で除することで第１移動所要時間を取得してもよい。
【００３７】
そして、第１ＰＯＩ時間間隔が第１移動所要時間より長いと判定された場合、プランニングエリア出力部３５１は、第１ＰＯＩの終了時刻と第２ＰＯＩの開始時刻との間のタイムライン上に、第３ＰＯＩを配置可能な時間帯を示すプランニングエリアを出力する。ここで、第３ＰＯＩは、第１ＰＯＩと第２ＰＯＩとの関係で、旅行プラン上に第１ＰＯＩと第２ＰＯＩとに次いで配置される第３のＰＯＩである。また、第３ＰＯＩは、第１ＰＯＩにおける予定と第２ＰＯＩにおける予定との間で立ち寄るＰＯＩである立ち寄りＰＯＩとも言える。
【００３８】
また、プランニング部３５のＰＯＩ出力部３５２は、第１ＰＯＩの終了時刻と第２ＰＯＩの開始時刻とを変更せずに立ち寄り可能な第３ＰＯＩの候補（以下、「第３ＰＯＩ候補」ともいう）を出力する。
【００３９】
プランニングエリア出力部３５１から出力されたプランニングエリアおよびＰＯＩ出力部３５２から出力された第３ＰＯＩ候補は、プランニング画面の一部としてネットワーク経由で端末装置２に送信され、端末装置２の出力部２４を介してユーザに提示される。
【００４０】
なお、プランニングエリア出力部３５１は、タイムラインと識別可能な表示態様を有するようにプランニングエリアを出力してもよい。また、プランニングエリア出力部３５１は、第３ＰＯＩ候補の中から選択されたＰＯＩが第３ＰＯＩとしてプランニングエリアに配置された場合に、プランニングエリアを更新してもよい。
【００４１】
また、ＰＯＩ出力部３５２は、プランニングエリアと同一画面上に表示されるように第３ＰＯＩ候補を出力してもよい。また、ＰＯＩ出力部３５２は、第３ＰＯＩ候補を選択可能なリスト形式で出力してもよい。また、ＰＯＩ出力部３５２は、プランニングエリアに第３ＰＯＩが配置された場合に、第３ＰＯＩ候補を更新してもよい。この場合、ＰＯＩ出力部３５２は、第３ＰＯＩの配置によって立ち寄り不可能となった第３ＰＯＩ候補を、削除または選択不能にしてもよい。ここで、立ち寄り不可能となった第３ＰＯＩ候補とは、配置済みの第１ＰＯＩ、第２ＰＯＩおよび第３ＰＯＩに加えて新たな第３ＰＯＩとして新たに当該第３ＰＯＩ候補をタイムライン上に配置した場合に、配置された全てのＰＯＩの訪問に要する移動時間に基づいて、第１ＰＯＩの予定時刻（開始時刻および／または終了時刻）、または、第２ＰＯＩの予定時刻を変更しなければならなくなる第３ＰＯＩ候補である。
【００４２】
（動作例）
次に、図１の情報処理システム１の動作例について説明する。図２は、第１の実施形態に係る情報処理システム１の動作の一例を示すフローチャートである。
【００４３】
図２に示すように、先ず、端末装置２の制御部２２は、予約完了メールを介して、旅行プランの作成を受け付ける（ステップＳ１）。なお、予約完了メールは、サーバ３のプランニング部３５からネットワーク経由で端末装置２に送信されたものであってもよく、また、サーバ３以外のサーバから端末装置２に送信されたものであってもよい。
【００４４】
図３は、本実施形態に係る情報処理システム１の動作の一例として、予約完了メールＭを示す図である。予約完了メールＭには、ＰＯＩの情報が含まれた旅行の予約内容を示す本文と、予約内容に基づいた旅行プランの作成を指示するリンクＬとが記述されている。図３の例において、予約完了メールＭには、沖縄空港を到着空港（第１ＰＯＩ）とし、ホテルＡを宿泊施設（第２ＰＯＩ）とした旅行プランが記述されている。リンクＬは、入力部２３で選択可能とされており、リンクＬを選択することで、予約内容を反映したプランニング画面を起動することができる。
【００４５】
このような予約完了メールＭが表示されることで、ユーザは、リンクＬを選択する簡便な作業によって、第１ＰＯＩの終了時刻と第２ＰＯＩの開始時刻との間に第３ＰＯＩに立ち寄る旅行プランの作成を開始することができる。なお、ユーザは、旅行サイト（本実施形態ではサーバ３）に直接アクセスして旅行プランの作成を開始してもよい。
【００４６】
旅行プランの作成を受け付けた後、図２に示すように、端末装置２の制御部２２は、リンク情報に基づいて旅行サイトすなわちサーバ３にアクセスする（ステップＳ２）。
【００４７】
サーバ３へのアクセスの後、サーバ３のプランニング部３５は、端末装置２からのアクセス情報すなわち予約完了メールＭの予約内容に基づいて、旅行サイトすなわちプランニング画面の初期化処理を行う（ステップＳ３）。初期化処理は、例えば、予約完了メールＭに記述された予約内容（飛行機、ホテル等）に基づいて、プランニング画面のタイムライン上に第１ＰＯＩおよび第２ＰＯＩを配置する処理である。
【００４８】
初期化処理の後、プランニングエリア出力部３５１は、プランニングエリアを生成する（ステップＳ４）。具体的には、プランニングエリア出力部３５１は、予約完了メールＭに記述された予約内容に基づいて第１ＰＯＩ時間間隔を算出する。また、プランニングエリア出力部３５１は、経路探索部３４に、第１ＰＯＩの位置情報と第２ＰＯＩの位置情報とに基づいて第１ＰＯＩから第２ＰＯＩまでの移動経路を探索させ、探索された移動経路に基づいて第１移動所要時間を取得する。そして、プランニングエリア出力部３５１は、第１ＰＯＩ時間間隔が第１移動所要時間より長い場合に、プランニングエリアを生成する。
【００４９】
一方、プランニングエリア出力部３５１は、第１ＰＯＩ時間間隔が第１移動所要時間以下である場合には、プランニングエリアを生成しない。
【００５０】
プランニングエリアを生成した後、ＰＯＩ出力部３５２は、プランニングエリアに基づいて、第３ＰＯＩ候補のリストを作成する（ステップＳ５）。具体的には、ＰＯＩ出力部３５２は、ＰＯＩ情報データベース３７内のＰＯＩ情報から、第１ＰＯＩの終了時刻と第２ＰＯＩの開始時刻を変更せずに立ち寄り可能な第３ＰＯＩ候補を抽出し、抽出された第３ＰＯＩ候補のリストを作成する。例えば、第１ＰＯＩおよび第２ＰＯＩのそれぞれと同エリアにあるＰＯＩを複数抽出し、抽出した各ＰＯＩについて、第１ＰＯＩを出発地、第２ＰＯＩを目的地、抽出したＰＯＩを経由地、第１ＰＯＩの終了時刻を出発時刻として経路探索条件を設定して経路探索を実行した結果、経路探索結果の経路の到着時刻が第２ＰＯＩの開始時刻以前であれば、当該経由地に設定されたＰＯＩを第３ＰＯＩ候補として抽出し、第３ＰＯＩ候補のリストを作成する。より効率的な抽出方法は後述する。
【００５１】
第３ＰＯＩ候補のリストを作成した後、プランニング部３５は、プランニングエリア出力部３５１で生成されたプランニングエリアと、ＰＯＩ出力部３５２で作成された第３ＰＯＩのリストとを含むプランニング画面を、ネットワーク経由で端末装置２に送信する。
【００５２】
端末装置２の制御部２２は、サーバ３から送信されたプランニング画面を通信部２１を介して受信して出力部２４に表示させる（ステップＳ６）。
【００５３】
図４は、本実施形態に係る情報処理システム１の動作の一例として、プランニングエリアおよび第３ＰＯＩ候補の表示例を示す図である。図４のプランニング画面ＳＣ１では、タイムラインＴＬ上に、出発空港（羽田空港）と、第１ＰＯＩの一例である到着空港（那覇空港）と、第２ＰＯＩの一例である宿泊施設（ホテルＡ）とのそれぞれを示すフレームＩ１が時系列で配置されている。ここで、フレームＩ１のサイズ（滞在時間幅）は、タイムラインＴＬ１上に配置するＰＯＩの滞在時間の初期値に基づいて決定されるようにしてもよい。また、フレームＩ１のサイズ（滞在時間幅）は、予約内容に基づいて決定されるようにしてもよい。例えば、予約内容に基づく第１ＰＯＩの開始時刻は１０時２０分、終了時刻は１０時５４分、滞在時間（初期値）は３４分であり、これに応じて、第１ＰＯＩのフレームＩ１は、タイムラインＴＬ上の１０時２０分から１０時５４分の時間帯に対応する位置に、３４分に応じたサイズ（滞在時間幅）で配置されている。このように、タイムラインＴＬ上のＰＯＩのフレームＩ１は、それぞれの開始時刻および終了時刻に対応するタイムラインＴＬ上の位置に配置されている。
【００５４】
また、フレームＩ１には、ＰＯＩの名称が記述されている。また、ＰＯＩの名称以外にも、フレームＩ１には、ＰＯＩの開始時刻とＰＯＩの終了時刻とが記述されていてもよい。
【００５５】
また、フレームＩ１には、ピンのアイコンＩ１ａが重畳表示されている。このピンのアイコンＩ１ａは、タイムラインＴＬ上でのＰＯＩの開始時刻および終了時刻を固定するピン留めが実行されていることを意味する。入力部２３を用いてピン留めを解除する入力操作を行えば、ＰＯＩの開始時刻および終了時刻を変更できる。
【００５６】
図４に示すように、第１ＰＯＩと第２ＰＯＩとの間には、タイムラインＴＬと異なる表示態様で、プランニングエリア出力部３５１から出力されたプランニングエリアＰＡが表示されている。例えば、プランニングエリアＰＡは、第１ＰＯＩおよび第２ＰＯＩのフレームと同じ横幅の枠で表示され、タイムラインＴＬと異なる色で表示されている。色を異ならせること以外にも、例えば、プランニングエリアＰＡにプランニングエリアＰＡと識別可能な名称を表示することで、プランニングエリアＰＡの表示態様をタイムラインＴＬの表示態様と異ならせてもよい。なお、図４の例において、プランニングエリアＰＡは、第１ＰＯＩの終了時刻から第２ＰＯＩの開始時刻までの時間帯を示している。
【００５７】
このように、タイムラインＴＬと異なる表示態様すなわちタイムラインＴＬから識別可能な表示態様でプランニングエリアＰＡが表示されることで、ユーザは、タイムラインＴＬのうち、ＰＯＩを追加（すなわち、第３ＰＯＩを配置）できる時間帯を一目で容易に把握することができる。
【００５８】
また、プランニング画面ＳＣ１上（すなわち、プランニングエリアＰＡと同一画面上）には、ＰＯＩ出力部３５２から出力された第３ＰＯＩ候補のリストを示す複数の画像Ｉ２が、入力部２３で選択可能な表示態様で表示されている。
【００５９】
図４の例において、画像Ｉ２には、第３ＰＯＩ候補の名称が含まれている。第３ＰＯＩ候補の名称以外にも、画像Ｉ２上には、第３ＰＯＩ候補のジャンル、住所、写真、画像などが含まれていてもよい。また、画像Ｉ２が選択された場合、ＰＯＩ出力部３５２は、画像Ｉ２に対応する第３ＰＯＩ候補の詳細情報を出力してもよい。この場合、ＰＯＩ出力部３５２は、第３ＰＯＩの詳細情報として、例えば、第３ＰＯＩ候補の営業時間、標準滞在時間、キャッチコピー、口コミ評価などを出力してもよい。なお、標準滞在時間は、１つのＰＯＩに対し、複数の時間が定められてもよい。例えば、日時や時間帯毎に異なる標準滞在時間がＰＯＩ情報に含まれていてもよい。また、リストに表示される第３ＰＯＩ候補のジャンルは、プランニング画面ＳＣ１に対する入力操作で変更可能であってもよい。また、リスト上での第３ＰＯＩ候補の配置順は、例えば、第３ＰＯＩ候補の開始時刻または終了時刻が早い順、人気度が高い順、タイムラインＴＬ上に配置済みのＰＯＩとの関連度が高い順などであってもよい。件数が多すぎて一度に全ての第３ＰＯＩ候補を表示できない場合、スクロールバーをあわせて表示するなどしてスクロール可能な表示態様で第３ＰＯＩ候補のリストを表示してもよい。
【００６０】
このようなリスト上の第３ＰＯＩ候補は、例えば、プランニングエリアＰＡ上へのドラッグアンドドロップなどの入力部２３を用いた選択操作によって、タイムラインＴＬ上に第３ＰＯＩとして配置できる。
【００６１】
このように、プランニングエリアＰＡと同一画面上に、第１ＰＯＩの終了時刻と第２ＰＯＩの開始時刻を変更せずに立ち寄り可能な第３ＰＯＩ候補のリストを選択可能な表示態様で表示することで、ユーザは、旅行プランに追加したい第３ＰＯＩを簡便に選択できる。
【００６２】
また、図４の例において、プランニング画面ＳＣ１には、第１ＰＯＩ、第２ＰＯＩおよび第３ＰＯＩ候補を含む地図ＭＡが表示されている。
【００６３】
次に、図５を参照して、ステップＳ６の後続の処理（ユーザによるＰＯＩ追加処理）について説明する。図５は、図２に続く本実施形態に係る情報処理システム１の動作の一例を示すフローチャートである。図６は、本実施形態に係る情報処理システム１の動作の一例として、プランニングエリアへのＰＯＩ追加処理を示す図である。
【００６４】
プランニング画面ＳＣ１を表示した後、図５に示すように、端末装置２の制御部２２は、プランニングエリアＰＡ上にＰＯＩを追加するＰＯＩ追加処理を受け付ける（ステップＳ７）。図６の例では、ＰＯＩ追加処理として、第３ＰＯＩ候補のリスト上の１つの第３ＰＯＩ候補（水族館Ａ）が、入力部２３を用いてプランニングエリアＰＡ上にドラッグアンドドロップされている。ユーザに選択された第３ＰＯＩ候補は、プランニングエリアＰＡ上にドロップされることで、第３ＰＯＩとしてプランニングエリアＰＡに配置される。なお、第３ＰＯＩ候補は、ドラッグアンドドロップ以外の操作で選択されてもよい。
【００６５】
ＰＯＩ追加処理を受け付けると、端末装置２の制御部２２は、追加したＰＯＩ（第３ＰＯＩ）のＰＯＩ情報、開始時刻および終了時刻をネットワーク経由でサーバ３に送信する。なお、第３ＰＯＩの開始時刻は、第３ＰＯＩ候補をドロップしたタイムラインＴＬ１上の位置に応じた時刻となる。また、第３ＰＯＩの終了時刻は、例えば、第３ＰＯＩの開始時刻に、ＰＯＩ情報に含まれている第３ＰＯＩの滞在時間（例えば、標準滞在時間）を加えた時刻となる。なお、第３ＰＯＩの開始時刻および終了時刻は、プランニングエリアＰＡ上へのドロップ以外の入力方法（例えば、キー入力等）で指定してもよい。また、第３ＰＯＩの開始時刻および終了時刻は、タイムラインＴＬ上に配置された第３ＰＯＩのタイムライン上での位置情報（座標情報）として送信され、サーバ３側で、端末装置２から送信されたタイムライン上での位置情報に対応する開始時刻および終了時刻を算出してもよい。
【００６６】
ＰＯＩ追加処理に応じて、プランニングエリア出力部３５１は、プランニングエリアＰＡを更新する。プランニングエリアＰＡの更新において、プランニングエリア出力部３５１は、図５に示すように、第１ＰＯＩの終了時刻から第３ＰＯＩの開始時刻までの時間間隔（以下、第２ＰＯＩ時間間隔ともいう）が、第１ＰＯＩから第３ＰＯＩまでの移動に要する時間（以下、第２移動所要時間ともいう）より長いか否かを判定（時間間隔判定）する（ステップＳ８）。第２移動所要時間は、既述した第１移動所要時間と同様に、経路探索部３４で探索された第１ＰＯＩから第３ＰＯＩまでの移動経路に基づいて取得することができる。
【００６７】
第２ＰＯＩ時間間隔が第２移動所要時間と同一である場合（ステップＳ８：第２移動所要時間と同一）、プランニングエリア出力部３５１は、第１ＰＯＩと第３ＰＯＩとの間のタイムラインＴＬを移動時間帯とする。このとき、第３ＰＯＩの終了時刻から第２ＰＯＩの開始時刻までの時間間隔よりも第３ＰＯＩから第２ＰＯＩまでの移動に要する時間が短い場合は、第３ＰＯＩと第２ＰＯＩとの間のタイムラインＴＬにプランニングエリアＰＡを出力する（ステップＳ１０）。
【００６８】
このとき、ＰＯＩ出力部３５２は、プランニングエリアＰＡへの第３ＰＯＩの配置すなわちＰＯＩの追加に応じて第３ＰＯＩ候補のリストを更新する。具体的には、ＰＯＩ出力部３５２は、プランニングエリアＰＡへの第３ＰＯＩの配置によって立ち寄りが不可能となったリスト上の第３ＰＯＩ候補を削除または選択不能にする。
【００６９】
図７は、本実施形態に係る情報処理システム１の動作の一例として、ＰＯＩ追加処理に応じたプランニングエリアＰＡおよび第３ＰＯＩ候補の第１の表示例を示す図である。第２ＰＯＩ時間間隔が第２移動所要時間と同一の場合におけるプランニングエリアＰＡの更新（ステップＳ１０）および第３ＰＯＩ候補の更新により、端末装置２では、画面表示（ステップＳ１２）によって例えば図７に示されるプランニング画面ＳＣ２が表示される。
【００７０】
ＰＯＩ追加処理前の図６のプランニング画面ＳＣ１に対して、ＰＯＩ追加処理後の図７のプランニング画面ＳＣ２では、第１ＰＯＩ（那覇空港）と第２ＰＯＩ（ホテルＡ）との間のタイムラインＴＬ上に、第３ＰＯＩ（水族館Ａ）のフレームＩ３が追加されている。
【００７１】
また、図６のプランニング画面ＳＣ１に対して、図７のプランニング画面ＳＣ２では、プランニングエリアＰＡの表示が更新されている。具体的には、プランニングエリアＰＡの範囲が、第３ＰＯＩの終了時刻から第２ＰＯＩの開始時刻までの時間帯を示すように変化すなわち縮小している。図７の例では、既述したように、第１ＰＯＩの終了時刻から第３ＰＯＩの開始時刻までの第２ＰＯＩ時間間隔が、第１ＰＯＩから第３ＰＯＩまでの第２移動所要時間と同一である。すなわち、第１ＰＯＩの終了時刻と第３ＰＯＩの開始時刻との間に他のＰＯＩに立ち寄る時間はない。このため、図７の例では、第１ＰＯＩと第３ＰＯＩとの間のタイムラインＴＬ上にプランニングエリアＰＡを表示せず、移動時間であることを示す画像（例えば、フレーム間を接続する線と車のアイコン）を表示している。
【００７２】
このように、ＰＯＩ追加処理に応じてプランニングエリアＰＡが更新されることで、ユーザは、第１ＰＯＩと第３ＰＯＩとの間の時間帯に新たな第３ＰＯＩを追加できなくなったことを一目で容易に把握することができる。また、ユーザは、第３ＰＯＩと第２ＰＯＩとの間に新たな第３ＰＯＩを追加できることを一目で容易に把握することができる。
【００７３】
また、図６のプランニング画面ＳＣ１に対して、図７のプランニング画面ＳＣ２では、第３ＰＯＩ候補のリストが更新されている。具体的には、図７のプランニング画面ＳＣ２では、プランニングエリアＰＡへの第３ＰＯＩ（水族館Ａ）の配置によって立ち寄ることができなくなった第３ＰＯＩ候補（水族館Ｂ、イベントＡ）の画像Ｉ２が、グレーアウトによって選択不能となっている。
【００７４】
このように、ＰＯＩ追加処理に応じて第３ＰＯＩ候補のリストが更新されることで、ユーザは、グレーアウトされた第３ＰＯＩ候補をプランニングエリアＰＡに追加できないことを一目で容易に把握することができる。また、ユーザは、グレーアウトされていない第３ＰＯＩ候補をプランニングエリアＰＡに追加できることを一目で容易に把握することができる。さらに、削除せずにグレーアウトしてリストに残したことにより、ユーザは、タイムラインＴＬ上に配置済みの水族館Ａをタイムライン上から除くことで追加可能である第３ＰＯＩ候補として、把握することができる。これにより、旅行プランに組み入れるＰＯＩの入れ替えを繰り返しながら、旅行プランを組み上げるというユーザの行動を支援することができる。
【００７５】
図５に示すように、第２ＰＯＩ時間間隔が第２移動所要時間より短い場合（ステップＳ８：第２移動所要時間より短い）、プランニング部３５は、第２ＰＯＩ時間間隔が第２移動所要時間と同一になるように、第３ＰＯＩの開始時刻の自動調整処理（ステップＳ９）を行う。自動調整処理を行うことで、プランニングエリアＰＡおよび第３ＰＯＩ候補のリストの更新結果は、第２ＰＯＩ時間間隔が第２移動所要時間と同一である場合と同じになる。すなわち、第２ＰＯＩ時間間隔が第２移動所要時間より短い場合にも、図７のプランニング画面ＳＣ１が表示される。自動調整処理を行うことで、第２所要時間を考慮して第１ＰＯＩと第３ＰＯＩ間を現実的に移動可能なプランに調整しつつ、ユーザが所望する時間帯に近い時間帯に第３ＰＯＩに立ち寄る機会を確保することができる。なお、プランニング部３５は、自動調整処理を行う際に、第３ＰＯＩの追加位置を変更する旨のアラートを出力してもよい。例えば、アラートとして、「那覇空港から車で○○分かかるため、追加位置を調整しています。」などの文言を表示する。
【００７６】
一方、図５に示すように、第２ＰＯＩ時間間隔が第２移動所要時間より長い場合（ステップＳ８：第２移動所要時間より長い）、プランニングエリア出力部３５１は、第１ＰＯＩと第２ＰＯＩとの間のタイムラインＴＬ上にプランニングエリアＰＡを出力する（ステップＳ１１）。すなわち、プランニングエリア出力部３５１は、ＰＯＩ追加処理前のプランニングエリアＰＡを維持する。
【００７７】
このとき、ＰＯＩ出力部３５２は、プランニングエリアＰＡへの第３ＰＯＩの配置に応じて第３ＰＯＩ候補のリストを更新する。
【００７８】
図８は、本実施形態に係る情報処理システム１の動作の一例として、ＰＯＩ追加処理に応じたプランニングエリアＰＡおよび第３ＰＯＩ候補の第２の表示例を示す図である。第２ＰＯＩ時間間隔が第２移動所要時間より長い場合におけるプランニングエリアＰＡの出力（ステップＳ１１）および第３ＰＯＩ候補のリストの更新により、端末装置２では、画面表示（ステップＳ１２）によって例えば図８のプランニング画面ＳＣ２が表示される。
【００７９】
ＰＯＩ追加処理前の図６のプランニング画面ＳＣ１に対して、ＰＯＩ追加処理後の図８のプランニング画面ＳＣ２では、第１ＰＯＩ（那覇空港）と第２ＰＯＩ（ホテルＡ）との間のタイムラインＴＬ上に、第３ＰＯＩ（水族館Ａ）のフレームＩ３が追加されている。
【００８０】
また、図６のプランニング画面ＳＣ１に対して、図８のプランニング画面ＳＣ２では、プランニングエリアＰＡが維持されている。図８のプランニングエリアＰＡは、第３ＰＯＩのフレームＩ３が重畳されているものの、図４のプランニングエリアＰＡと同様に、第１ＰＯＩの終了時刻から第２ＰＯＩの開始時刻までの時間帯を示すように出力されたものである。図８の例では、既述したように、第１ＰＯＩの終了時刻から第３ＰＯＩの開始時刻までの第２ＰＯＩ時間間隔が、第１ＰＯＩから第３ＰＯＩまでの第２移動所要時間より長い。すなわち、第１ＰＯＩの終了時刻と第３ＰＯＩの開始時刻との間に他のＰＯＩに立ち寄る時間がある。また、第３ＰＯＩの終了時刻と第２ＰＯＩの開始時刻との間に他のＰＯＩに立ち寄る時間もある。このため、図８の例では、プランニングエリアＰＡを図６と同様の状態に、さらなる第３ＰＯＩを配置可能に維持している。
【００８１】
一方、図６のプランニング画面ＳＣ１に対して、図８のプランニング画面ＳＣ２では、プランニングエリアＰＡへの第３ＰＯＩ（水族館Ａ）の追加によって立ち寄ることができなくなった第３ＰＯＩ候補（水族館Ｂ、レストランＣ）の画像Ｉ２が、グレーアウトによって選択不能となっている。
【００８２】
次に、図９を参照して、ステップＳ１２の後続の処理について説明する。図９は、図５に続く本実施形態に係る情報処理システム１の動作の一例を示すフローチャートである。図１０は、本実施形態に係る情報処理システム１の動作の一例として、プランニングエリアＰＡへのＰＯＩ再追加処理を示す図である。
【００８３】
ＰＯＩ追加処理後のプランニング画面を表示した後、図９に示すように、端末装置２の制御部２２は、プランニングエリアＰＡ上にＰＯＩを再追加するＰＯＩ再追加処理を受け付ける（ステップＳ１３）。図１０の例では、ＰＯＩ再追加処理として、第３ＰＯＩ候補のリスト上の１つの第３ＰＯＩ候補（レストランＡ）が、プランニングエリアＰＡ上にドラッグアンドドロップされている。なお、図１０では、便宜上、第３ＰＯＩ（水族館Ａ）の時間帯が図７における第３ＰＯＩの時間帯および図８における第３ＰＯＩの時間帯のいずれとも異なっているが、実際は、図７および図８のいずれかの時間帯と一致していてよい。
【００８４】
ＰＯＩ再追加処理を受け付けると、端末装置２の制御部２２は、再追加したＰＯＩ（すなわち、新たな第３ＰＯＩ）のＰＯＩ情報、開始時刻および終了時刻をネットワーク経由でサーバ３に送信する。
【００８５】
ＰＯＩ再追加処理に応じて、プランニングエリア出力部３５１は、プランニングエリアＰＡを更新する（ステップＳ１４）。プランニングエリアＰＡの更新において、プランニングエリア出力部３５１は、図５のステップＳ８と同様に、第１ＰＯＩの終了時刻から新たな第３ＰＯＩの開始時刻までの第２ＰＯＩ時間間隔が、第１ＰＯＩから新たな第３ＰＯＩまでの第２移動所要時間より長いか否かを判定する。そして、第２ＰＯＩ時間間隔が第２移動所要時間と同一である場合、プランニングエリア出力部３５１は、図５のステップＳ１０と同様に、第１ＰＯＩと新たな第３ＰＯＩとの間のタイムラインＴＬを移動時間帯とし、新たな第３ＰＯＩと第２ＰＯＩとの間のタイムラインＴＬにプランニングエリアＰＡを出力する。また、第２ＰＯＩ時間間隔が第２移動所要時間より短い場合、プランニング部３５は、図５のステップＳ９と同様の自動調整処理を行い、プランニングエリア出力部３５１は、図５のステップＳ１０と同様のプランニングエリアＰＡの出力を行う。一方、第２ＰＯＩ時間間隔が第２移動所要時間より長い場合、プランニングエリア出力部３５１は、図５のステップＳ１１と同様に、ＰＯＩ追加処理前のプランニングエリアＰＡを維持する。
【００８６】
次いで、ＰＯＩ出力部３５２は、プランニングエリアＰＡへのＰＯＩ再追加処理に応じて第３ＰＯＩ候補のリストを更新する。具体的には、ＰＯＩ出力部３５２は、プランニングエリアＰＡへの新たな第３ＰＯＩの追加によって立ち寄りが不可能となったリスト上の第３ＰＯＩ候補を削除または選択不能にする。
【００８７】
ＰＯＩ再追加処理に応じて更新されたプランニングエリアＰＡおよび第３ＰＯＩ候補のリストは、プランニング再追加処理後のプランニング画面としてネットワーク経由で端末装置２に送信され、端末装置２において表示される（ステップＳ１６）。
【００８８】
図１１は、本実施形態に係る情報処理システム１の動作の一例として、ＰＯＩ再追加処理に応じたプランニングエリアＰＡおよび第３ＰＯＩ候補の第１の表示例を示す図である。第２ＰＯＩ時間間隔が第２移動所要時間と同一または第２移動所要時間より短い場合におけるプランニングエリアＰＡの更新（ステップＳ１４）および第３ＰＯＩ候補リストの更新（ステップＳ１５）により、例えば図１１に示されるプランニング画面ＳＣ３が表示される。
【００８９】
ＰＯＩ再追加処理後の図１１のプランニング画面ＳＣ３では、ＰＯＩ再追加処理前の図１０のプランニング画面ＳＣ２に対して、第１ＰＯＩ（那覇空港）と前回（ＰＯＩ追加処理時）に追加された第３ＰＯＩ（水族館Ａ）との間のタイムラインＴＬ上に、新たな第３ＰＯＩ（レストランＡ）が追加されている。
【００９０】
また、図１０のプランニング画面ＳＣ２に対して、図１１のプランニング画面ＳＣ３では、プランニングエリアＰＡの表示が更新されている。具体的には、プランニングエリアＰＡの範囲が、新たな第３ＰＯＩの終了時刻から第２ＰＯＩの開始時刻までの時間帯を示すように縮小している。これは、第１ＰＯＩの終了時刻から新たな第３ＰＯＩの開始時刻までの第２ＰＯＩ時間間隔が、第１ＰＯＩから新たな第３ＰＯＩまでの第２移動所要時間と同一またはこれより短いことによるものである。
【００９１】
これにより、ユーザは、第１ＰＯＩと新たな第３ＰＯＩとの間の時間帯に他の第３ＰＯＩを追加できなくなったことを一目で容易に把握することができる。また、ユーザは、新たな第３ＰＯＩと前回追加した第３ＰＯＩとの間および前回追加した第３ＰＯＩと第２ＰＯＩとの間に他の第３ＰＯＩを追加できることを一目で容易に把握することができる。
【００９２】
また、図１０のプランニング画面ＳＣ２に対して、図１１のプランニング画面ＳＣ３では、新たな第３ＰＯＩ（レストランＡ）の配置によって立ち寄ることができなくなった第３ＰＯＩ候補（レストランＢ）の画像Ｉ２が、グレーアウトによって選択不能となっている。これにより、ユーザは、グレーアウトされた第３ＰＯＩ候補をプランニングエリアＰＡに追加できないことを一目で容易に把握することができる。
【００９３】
図１２は、本実施形態に係る情報処理システム１の動作の一例として、ＰＯＩ再追加処理に応じたプランニングエリアＰＡおよび第３ＰＯＩ候補の第２の表示例を示す図である。第２ＰＯＩ時間間隔が第２移動所要時間より長い場合におけるプランニングエリアＰＡの更新（ステップＳ１４）および第３ＰＯＩ候補リストの更新（ステップＳ１５）により、例えば図１２に示されるプランニング画面ＳＣ３が表示される。
【００９４】
ＰＯＩ再追加処理前の図１０のプランニング画面ＳＣ２に対して、ＰＯＩ再追加処理後の図１２のプランニング画面ＳＣ３では、第１ＰＯＩ（那覇空港）と前回追加された第３ＰＯＩ（水族館Ａ）との間のタイムラインＴＬ上に、新たな第３ＰＯＩ（レストランＡ）が追加されている。
【００９５】
また、図１０のプランニング画面ＳＣ２に対して、図１２のプランニング画面ＳＣ３では、プランニングエリアＰＡが維持されている。これは、第１ＰＯＩの終了時刻から新たな第３ＰＯＩの開始時刻までの第２ＰＯＩ時間間隔が、第１ＰＯＩから新たな第３ＰＯＩまでの第２移動所要時間より長いことによるものである。また、図１０のプランニング画面ＳＣ２に対して、図１２のプランニング画面ＳＣ３では、プランニングエリアＰＡへの新たな第３ＰＯＩ（レストランＡ）の追加によって立ち寄ることができなくなった第３ＰＯＩ候補（レストランＢ）の画像Ｉ２が、グレーアウトによって選択不能となっている。
【００９６】
なお、新たに配置した新たな第３ＰＯＩと配置済みの第３ＰＯＩ間の時間間隔が、新たな第３ＰＯＩから配置済みの第３ＰＯＩへの移動に要する所要時間よりも小さい場合は、新たな第３ＰＯＩと第３ＰＯＩの配置位置を自動調整して、移動に無理のないプランになるように制御する。一例として、地点条件として、第１ＰＯＩを出発地、第２ＰＯＩを目的地、配置済みの第３ＰＯＩおよび新たに配置した第３ＰＯＩを経由地に設定し、時刻条件として、第１ＰＯＩの終了時刻を出発時刻、各第３ＰＯＩの滞在時間を経由地の滞在時間に設定した経路探索条件に基づいて経路探索を実行する。その結果、得られた各第３ＰＯＩの到着時刻・出発時刻に基づいて各第３ＰＯＩのタイムライン上における開始時刻・終了時刻を設定して、移動に無理のないプランになるように制御する。
【００９７】
またさらに、配置済みの第３ＰＯＩのピン留め有無に応じて制御を切り替えるようにしてもよい。一例として、配置済みの第３ＰＯＩがピン留めされていない場合は、上記の通り自動調整行う。他方、配置済みの第３ＰＯＩがピン留めされている場合は、後述する第３の変形例のように配置済みの第３ＰＯＩの配置位置を変更することなく、新たな第３ＰＯＩの所要時間を変更することの許可を入力するようにユーザに促す表示を行う。
【００９８】
なお、上述した各態様のプランニング画面は、保存を指示する画面操作によって、サーバ３の記憶部３３に読出し可能な状態で保存できる。プランニング画面は、旅行プランに対応する年月日ごとに区分けされた状態で保存されてもよい。また、プランニング画面は、端末装置２の記憶部に保存されてもよい。
【００９９】
以上のように、本実施形態によれば、配置済みの第１ＰＯＩと第２ＰＯＩとの間のタイムラインＴＬ上にプランニングエリアＰＡを出力することができるので、ユーザは、第１ＰＯＩの終了時刻と第２ＰＯＩの開始時刻との間に第３ＰＯＩに立ち寄ることができることを容易に把握することができる。これにより、第１ＰＯＩの終了時刻と第２ＰＯＩの開始時刻との間に第３ＰＯＩに立ち寄る旅行プランを簡便かつ適切に作成できるので、旅行計画の利便性を向上させることができる。
【０１００】
また、本実施形態によれば、第１ＰＯＩの終了時刻と第２ＰＯＩの開始時刻とを変更せずに立ち寄り可能な第３ＰＯＩ候補を提示することで、当初の旅行プランに影響を与えない追加のプランを簡便かつ適切に策定できる。
【０１０１】
また、本実施形態によれば、第３ＰＯＩの追加に応じてプランニングエリアＰＡおよび第３ＰＯＩ候補を更新することで、第３ＰＯＩを再追加する旅行プランを簡便かつ適切に策定できる。なお、プランニングエリアＰＡには、第３ＰＯＩを追加するだけでなく、配置済みの第３ＰＯＩを削除して別の第３ＰＯＩに入れ替えることができるようにしてもよい。
【０１０２】
また、本実施形態によれば、第３ＰＯＩ候補をプランニングエリアＰＡと同一画面上に選択可能にリスト表示することで、プランニングエリアＰＡへの第３ＰＯＩの追加を簡便に行うことができる。
【０１０３】
上述した例以外にも、本発明には以下に述べる各種の変形例を適用できる。
【０１０４】
（第１の変形例）
図１３は、本実施形態の第１の変形例に係る情報処理システム１の動作の一例として、プランニング画面の表示例を示す図である。
【０１０５】
図１３に示すように、第１の変形例において、プランニングエリア出力部３５１は、プランニングエリアＰＡ上において第３ＰＯＩのフレームＩ３を移動する入力操作が行われた場合に、プランニングエリアＰＡに替えて、第３ＰＯＩの時間帯の変更操作をガイドするガイドエリアＧＡを出力する。ガイドエリアＧＡは、第１ＰＯＩの終了時刻から第３ＰＯＩまでの移動所要時間が経過した時刻を始端とし、第２ＰＯＩの開始時刻から第２ＰＯＩまでの移動所要時間遡った時刻を終端とした領域である。ガイドエリアＧＡの表示態様は、プランニングエリアＰＡと同様に、タイムラインＴＬから識別可能であってもよい。
【０１０６】
ガイドエリアＧＡが表示されることで、ユーザは、ガイドエリアＧＡから逸脱しないように、すなわち、移動時間帯と重ならないように第３ＰＯＩの時間帯を変更できる。
【０１０７】
第１の変形例によれば、一旦設定した第３ＰＯＩの時間帯を変更する場合に、立ち寄ることができない時間帯に第３ＰＯＩの時間帯が変更されることを防止することができる。これにより、旅行計画の変更の利便性を向上させることができる。
【０１０８】
（第２の変形例）
図１４は、本実施形態の第２の変形例に係る情報処理システム１の動作の一例として、プランニングエリアＰＡおよび第３ＰＯＩ候補の表示例を示す図である。
【０１０９】
図１４に示すように、第２の変形例において、プランニングエリア出力部３５１は、プランニングエリアＰＡに第３ＰＯＩが配置された場合に、第１ＰＯＩの終了時刻と第３ＰＯＩの開始時刻との間のタイムラインＴＬ上に、新たな第３ＰＯＩを配置可能な時間帯を示す第１プランニングエリアＰＡ１を出力する。また、プランニングエリア出力部３５１は、プランニングエリアＰＡに第３ＰＯＩが配置された場合に、第３ＰＯＩの終了時刻と第２ＰＯＩの開始時刻との間のタイムラインＴＬ上に、新たな第３ＰＯＩを配置可能な時間帯を示す第２プランニングエリアＰＡ２を出力する。第１プランニングエリアＰＡ１と第２プランニングエリアＰＡ２とは、互いに独立したプランニングエリアである。
【０１１０】
また、図１４に示すように、プランニングエリア出力部３５１は、互いに異なる表示態様（例えば、色）を有するように、第１プランニングエリアＰＡ１と第２プランニングエリアＰＡ２とを出力する。
【０１１１】
また、ＰＯＩ出力部３５２は、互いに異なる表示態様を有するように、第１プランニングエリアＰＡ１に配置可能な第３ＰＯＩ候補（画像Ｉ２＿１）と、第２プランニングエリアＰＡ２に配置可能な第３ＰＯＩ候補（画像Ｉ２＿２）とを提示する。
【０１１２】
ここで、第１プランニングエリアＰＡ１に配置可能な第３ＰＯＩ候補は、第１ＰＯＩの終了時刻と配置済みの第３ＰＯＩの開始時刻とを変更せずに立ち寄り可能なＰＯＩである。また、第２プランニングエリアＰＡ２に配置可能な第３ＰＯＩ候補は、配置済みの第３ＰＯＩの終了時刻と第２ＰＯＩの開始時刻とを変更せずに立ち寄り可能なＰＯＩである。
【０１１３】
なお、第１プランニングエリアＰＡ１に配置可能な第３ＰＯＩ候補の表示態様は、第１プランニングエリアＰＡ１の表示態様と同一または類似であることが望ましい。また、第２プランニングエリアＰＡ２に配置可能な第３ＰＯＩ候補の表示態様は、第２プランニングエリアＰＡ２の表示態様と同一または類似
であることが望ましい。
【０１１４】
図８に示した例では、第３ＰＯＩの開始時刻以前の空き時間帯と、第３ＰＯＩの終了時刻以降の空き時間帯とに、１つのプランニングエリアＰＡの異なる部分を割り当てていた。この場合、提示される第３ＰＯＩ候補は、第３ＰＯＩの開始時刻以前および終了時刻以降のいずれに立ち寄ることができるのかを一目で見分けることは困難である。
【０１１５】
これに対して、第２変形例では、第３ＰＯＩの開始時刻以前の空き時間と、第３ＰＯＩの終了時刻以降の空き時間とを異なるプランニングエリアＰＡ１、ＰＡ２とし、各プランニングエリアＰＡ１、ＰＡ２のそれぞれに対応した第３ＰＯＩ候補を提示できる。これにより、ユーザは、第３ＰＯＩの開始時刻以前にいずれの第３ＰＯＩ候補に立ち寄ることができ、また、第３ＰＯＩの終了時刻以降にいずれの第３ＰＯＩ候補に立ち寄ることができるのかを一目で容易に把握できる。
【０１１６】
なお、図１４の例において、第１プランニングエリアＰＡ１に配置可能な第３ＰＯＩ候補の画像Ｉ２＿１と、第２プランニングエリアＰＡ２に配置可能な第３ＰＯＩ候補の画像Ｉ２＿２とは、同じ表示枠内に表示されている。画像Ｉ２＿１、Ｉ２＿２の表示態様は、図１４の例に限定されない。例えば、、第１プランニングエリアＰＡ１に配置可能な第３ＰＯＩ候補の画像Ｉ２＿１と、第２プランニングエリアＰＡ２に配置可能な第３ＰＯＩ候補の画像Ｉ２＿２とを、異なる表示枠内に表示してもよい。
【０１１７】
また、図１４に示すような第１プランニングエリアＰＡ１と第２プランニングエリアＰＡ２とを区別したプランニング画面の表示と、図８に示した１つのプランニングエリアＰＡでのプランニング画面の表示とを、入力部２３の入力操作にしたがって切り替えてもよい。一例として、ユーザ操作により第３ＰＯＩのピンがアクティブ状態か否かに応じて、すなわち、第３ＰＯＩのフレームが固定されたか否かに応じて切り替えてもよい。具体的には、配置済みの第３ＰＯＩのピンがアクティブ状態に設定された場合に、第１プランニングエリアＰＡ１と第２プランニングエリアＰＡ２を表示し、さらに、それぞれのプランニングエリアに対応する第３ＰＯＩ候補を表示する。これにより、配置済みの第３ＰＯＩの予定時刻（開始時刻および終了時刻）を変更させたくないユーザの意図を汲んで、第３ＰＯＩの予定時刻を変更せずに追加可能な第３ＰＯＩ候補と、当該第３ＰＯＩ候補のタイムラインＴＬ上での配置先（第１プランニングエリアまたは第２プランニングエリア）を明確にすることができる。
【０１１８】
第２の変形例によれば、追加済みの第３ＰＯＩの前後の空き時間にそれぞれ独立したプランニングエリアを設定し、各プランニングエリアごとに独立した第３ＰＯＩ候補を提示することで、ＰＯＩ再追加処理の利便性を向上させることができる。
【０１１９】
（第３の変形例）
図１５（ａ）は、本実施形態の第３の変形例に係る情報処理システム１の動作の一例として、ＰＯＩ再追加処理を示す図である。図１５（ｂ）は、ＰＯＩ再追加処理に応じた警告の表示例を示す図である。図１５（ｃ）は、滞在時間の短縮を条件としたＰＯＩ再追加を示す図である。
【０１２０】
図１５（ｂ）に示すように、第３の変形例において、プランニング部３５は、第１移動所要時間に重なる時間帯へのＰＯＩ再追加処理（図１５（ａ））がなされた場合、例えばポップアップの形式で警告画面Ｗを出力する。図１５（ｂ）の例において、警告画面Ｗの内容は、第３ＰＯＩ（レストランＡ）の標準滞在時間（６０分）より少ない滞在時間（３０分）での立ち寄りが可能であることを通知する内容となっている。また、警告画面Ｗにおいては、標準滞在時間より少ない滞在時間での滞在の有無を選択可能となっている。そして、警告画面Ｗに対して標準滞在時間より少ない滞在時間での滞在を選択した場合、図１５（ｃ）に示すように、プランニング部３５は、標準滞在時間より少ない滞在時間を条件として第３ＰＯＩをプランニングエリアＰＡに配置する。
【０１２１】
第３の変形例によれば、移動所要時間を考慮しつつ、ユーザが所望する第３ＰＯＩへの立ち寄りの機会を増やすことができる。
【０１２２】
（第４の変形例）
図１６（ａ）は、本実施形態の第４の変形例に係る情報処理システム１の動作の一例として、プランニングエリアＰＡの第１部分Ｐ１の選択に応じた第３ＰＯＩ候補の表示例を示す図である。図１６（ｂ）は、プランニングエリアＰＡの第２部分Ｐ２の選択に応じた第３ＰＯＩ候補の表示例を示す図である。
【０１２３】
図１６（ａ）に示すように、第４の変形例において、ＰＯＩ出力部３５２は、プランニングエリアＰＡのうち第３ＰＯＩの開始時刻以前の第１部分Ｐ１がマウスオーバ等によって選択された場合に、第１部分Ｐ１に立ち寄り可能な第３ＰＯＩ候補以外の第３ＰＯＩ候補（レストランＣ）を選択不能（例えば、グレーアウト）にする。また、図１６（ｂ）に示すように、ＰＯＩ出力部３５２は、プランニングエリアＰＡのうち第３ＰＯＩの終了時刻以降の第２部分Ｐ２が指定された場合に、第２部分Ｐ２に立ち寄り可能な第３ＰＯＩ候補以外の第３ＰＯＩ候補（水族館Ｂ）を選択不能にする。
【０１２４】
第４の変形例によれば、第２の変形例と異なりプランニングエリアＰＡが１つの場合であっても、第３ＰＯＩの開始時刻以前にいずれの第３ＰＯＩ候補に立ち寄ることができ、また、第３ＰＯＩの終了時刻以降にいずれの第３ＰＯＩ候補に立ち寄ることができるのかを把握できる。
【０１２５】
（第５の変形例）
図１７（ａ）は、本実施形態の第５の変形例に係る情報処理システム１の動作の一例として、地図上での第３ＰＯＩ候補の選択に応じた経路の表示例を示す図である。図１７（ｂ）は、地図上での第３ＰＯＩ候補の選択の変更に応じた経路の表示例を示す図である。
【０１２６】
図１７（ａ）に示すように、第５の変形例において、プランニング部３５は、マウスオーバ等によって地図ＭＡ上の第３ＰＯＩ候補（水族館Ａ）が選択されると、選択された第３ＰＯＩ候補を経由した第１ＰＯＩから第２ＰＯＩまでの移動経路Ｒ１を経路探索部３４に探索させる。そして、プランニング部３５は、探索された移動経路Ｒ１を地図ＭＡ上に重畳表示する。なお、図１７（ａ）に示すように、プランニング部３５は、移動経路Ｒ１にあわせて、第１ＰＯＩ（那覇空港）の出発時刻と、第３ＰＯＩ候補（水族館Ａ）の到着時刻および出発時刻と、第２ＰＯＩ（ホテルＡ）の到着時刻とを表示してもよい。
【０１２７】
また、図１７（ｂ）に示すように、プランニング部３５は、地図ＭＡ上の第３ＰＯＩ候補の選択が変更されると、変更後の第３ＰＯＩ候補（水族館Ｂ）を経由した第１ＰＯＩから第２ＰＯＩまでの移動経路Ｒ２を経路探索部３４に探索させる。そして、プランニング部３５は、探索された移動経路Ｒ２を地図ＭＡ上に重畳表示する。
【０１２８】
第５の変形例によれば、第３ＰＯＩ候補を経由した移動経路を表示することで、旅行計画の利便性を更に向上させることができる。
【０１２９】
（第６の変形例）
図１８（ａ）は、本実施形態の第６の変形例に係る情報処理システム１の動作の一例として、第３ＰＯＩ候補の抽出動作を示す図である。図１８（ｂ）は、図１８（ａ）に続く第３ＰＯＩ候補の抽出動作を示す図である。図１８（ｃ）は、図１８（ｂ）に続く第３ＰＯＩ候補の抽出動作を示す図である。
【０１３０】
第６の変形例において、ＰＯＩ出力部３５２は、第３ＰＯＩ候補の提示にあたり、先ず、図１８（ａ）に示すように、第１ＰＯＩを出発地Ｓ、第２ＰＯＩを目的地Ｇと仮定して、第１ＰＯＩ（Ｓ）と第２ＰＯＩ（Ｇ）とを含む楕円状の抽出領域Ａ１を設定する。一例として、第１ＰＯＩと第２ＰＯＩを焦点とした楕円状の抽出領域Ａ１を設定する。そして、ＰＯＩ出力部３５２は、抽出領域Ａ１内に存在する第３ＰＯＩ候補Ｃを抽出してプランニング画面上に提示する。
【０１３１】
次いで、抽出領域Ａ１内に存在する第３ＰＯＩ候補Ｃのうち、１つの第３ＰＯＩ候補（Ａ）が第３ＰＯＩとしてプランニングエリアに追加されると、ＰＯＩ出力部３５２は、図１８（ｂ）に示すように、第１ＰＯＩ（Ｓ）と第３ＰＯＩ（Ａ）とを含む抽出領域Ａ２と、第３ＰＯＩ（Ａ）と第２ＰＯＩ（Ｇ）とを含む抽出領域Ａ３とを新たに設定する。そして、ＰＯＩ出力部３５２は、抽出領域Ａ２、Ａ３内に存在する第３ＰＯＩ候補Ｃを抽出してプランニング画面上に提示する。このとき、前回設定された抽出領域Ａ１内に存在するＰＯＩのうち、新たな抽出領域Ａ２、Ａ３から逸脱するＰＯＩは、プランニング画面への提示対象から除外される。
【０１３２】
次いで、抽出領域Ａ２内に存在する１つの第３ＰＯＩ候補（Ｂ）が新たな第３ＰＯＩとしてプランニングエリアに追加されると、ＰＯＩ出力部３５２は、図１８（ｃ）に示すように、第１ＰＯＩ（Ｓ）と新たな第３ＰＯＩ（Ｂ）とを含む抽出領域Ａ４と、新たな第３ＰＯＩ（Ｂ）と前回追加された第３ＰＯＩ（Ａ）とを含む抽出領域Ａ５とを新たに設定する。そして、ＰＯＩ出力部３５２は、抽出領域Ａ３、Ａ４、Ａ５内に存在する第３ＰＯＩ候補Ｃを抽出してプランニング画面上に提示する。
【０１３３】
第６の変形例によれば、第３ＰＯＩの追加に応じて第３ＰＯＩ候補の抽出領域を変更することで、第１ＰＯＩの終了時刻と第２ＰＯＩの開始時刻との間に立ち寄り可能な第３ＰＯＩ候補を効率的に抽出できる。
【０１３４】
なお、上述した各変形例は、これらを適宜組み合わせてもよい。
【０１３５】
上述した実施形態で説明した情報処理システムの少なくとも一部は、ハードウェアで構成してもよいし、ソフトウェアで構成してもよい。ソフトウェアで構成する場合には、情報処理システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１３６】
また、情報処理システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１３７】
さらに、一つまたは複数の情報処理装置によって情報処理システムを機能させてもよい。複数の情報処理装置を用いる場合、情報処理装置のうちの１つをコンピュータとし、当該コンピュータが所定のプログラムを実行することにより情報処理システムの少なくとも１つの手段として機能が実現されてもよい。
【０１３８】
また、方法の発明においては、全ての工程（ステップ）をコンピュータによって自動制御で実施するようにしてもよい。また、各工程をコンピュータに実施させながら、工程間の進行制御を人の手によって実施するようにしてもよい。また、さらには、全工程のうちの少なくとも一部を人の手によって実施するようにしてもよい。
【０１３９】
上記の記載に基づいて、当業者であれば、本発明の追加の効果や種々の変形を想到できるかもしれないが、本発明の態様は、上述した個々の実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１４０】
１  情報処理システム
２  端末装置
３  サーバ
３５１  プランニングエリア出力部
【図１】
2018045634.tif 000003
【図２】
2018045634.tif 000004
【図３】
2018045634.tif 000005
【図４】
2018045634.tif 000006
【図５】
2018045634.tif 000007
【図６】
2018045634.tif 000008
【図７】
2018045634.tif 000009
【図８】
2018045634.tif 000010
【図９】
2018045634.tif 000011
【図１０】
2018045634.tif 000012
【図１１】
2018045634.tif 000013
【図１２】
2018045634.tif 000014
【図１３】
2018045634.tif 000015
【図１４】
2018045634.tif 000016
【図１５】
2018045634.tif 000017
【図１６】
2018045634.tif 000018
【図１７】
2018045634.tif 000019
【図１８】
2018045634.tif 000020